(57)【要約】【課題】ユーザの快適性を向上させることが可能な表示装置を提供する。【解決手段】表示装置は、映像表示を行う表示部と、音声出力部と、視聴環境情報および視聴者情報をそれぞれ検知する情報検知部と、この情報検知部により検知された視聴環境情報および視聴者情報の双方に基づいて、映像表示の際の輝度および色度をそれぞれ制御する表示制御と、音声出力部による音声出力を制御する音声制御との双方の制御を行う制御部とを備えている。【選択図】図１
2013097298.tif 000002
【特許請求の範囲】
【請求項１】
映像表示を行う表示部と、
音声出力部と、
視聴環境情報および視聴者情報をそれぞれ検知する情報検知部と、
前記情報検知部により検知された視聴環境情報および視聴者情報の双方に基づいて、前記映像表示の際の輝度および色度をそれぞれ制御する表示制御と、前記音声出力部による音声出力を制御する音声制御と、の双方の制御を行う制御部と
を備えた表示装置。
【請求項２】
前記視聴環境情報として、視聴位置、環境照度および音場のうちの少なくとも１つについての情報を含み、
前記視聴者情報として、視聴者の人数、年齢および疲労度のうちの少なくとも１つについての情報を含む
請求項１に記載の表示装置。
【請求項３】
前記視聴者の疲労度は、その視聴者の瞬きの頻度によって規定される
請求項２に記載の表示装置。
【請求項４】
前記映像制御として、前記映像表示の際の輝度制御、色度制御および色温度制御を含み、
前記音声制御として、前記音声出力の際の音量制御、音質制御および音声バランス制御のうちの少なくとも１つを含む
請求項１に記載の表示装置。
【請求項５】
前記制御部は、
前記映像表示の際の輝度が低下するように制御を行った場合、
彩度が相対的に低い色については、前記映像表示の際の彩度を高める色度制御を行うと共に、彩度が相対的に高い色については、前記映像表示の際の彩度を低める色度制御を行う
請求項４に記載の表示装置。
【請求項６】
前記視聴者情報として、視聴者の年齢についての情報を少なくとも含み、
前記制御部は、検知された視聴者の年齢に応じて、異なる前記表示制御および前記音声制御を行う
請求項４に記載の表示装置。
【請求項７】
前記情報検知部によって視聴者の人数が複数であることが検知された場合、
前記制御部は、視聴環境が最も悪い条件下にある視聴者についての前記視聴環境情報を選択的に用いて、その視聴者に適合した前記表示制御および前記音声制御を行う
請求項４に記載の表示装置。
【請求項８】
前記情報検知部によって視聴者の位置が検知できなかった場合、
前記制御部は、前記映像表示が停止して前記音声出力のみが行われるように、前記表示制御および前記音声制御を行う
請求項４に記載の表示装置。
【請求項９】
前記情報検知部は、画像センサ、照度センサおよび音場センサのうちの少なくとも１つを有する
請求項１に記載の表示装置。
【請求項１０】
前記制御部は、入力映像信号および入力音声信号から所定の情報を取得すると共に、この取得した情報を用いて、視聴環境の明るさを制御する
請求項１に記載の表示装置。
【発明の詳細な説明】
【技術分野】
【０００１】
本開示は、映像表示および音声出力を行う表示装置に関する。
【背景技術】
【０００２】
従来、カラー映像表示が可能な表示装置として、ＣＲＴ（Cathode Ray Tube）やＬＣＤ（Liquid Crystal Display）、ＰＤＰ（Plasma Display Panel）、有機ＥＬ（Electro Luminescence）等の種々のタイプのものが開発されている。また、このような表示装置の制御方法（映像や音声の制御方法）としても、様々な手法が提案されている（例えば、特許文献１〜３参照）。
【先行技術文献】
【特許文献】
【０００３】
【特許文献１】特開２００３−３２３１６９号公報
【特許文献２】特開２００８−２４４９１７号公報
【特許文献３】特開２０１１−８２６７３号公報
【発明の概要】
【発明が解決しようとする課題】
【０００４】
ここで、上記のような各種の表示装置では、ユーザ（視聴者）の快適性の更なる向上が求められているため、そのような快適性向上を実現可能な制御手法の提案が望まれる。
【０００５】
本開示はかかる問題点に鑑みてなされたもので、その目的は、ユーザの快適性を向上させることが可能な表示装置を提供することにある。
【課題を解決するための手段】
【０００６】
本開示の表示装置は、映像表示を行う表示部と、音声出力部と、視聴環境情報および視聴者情報をそれぞれ検知する情報検知部と、この情報検知部により検知された視聴環境情報および視聴者情報の双方に基づいて、映像表示の際の輝度および色度をそれぞれ制御する表示制御と、音声出力部による音声出力を制御する音声制御との双方の制御を行う制御部とを備えたものである。
【０００７】
本開示の表示装置では、視聴環境情報および視聴者情報がそれぞれ検知され、これらの視聴環境情報および視聴者情報の双方に基づいて、映像表示の際の輝度および色度をそれぞれ制御する表示制御と、音声出力部による音声出力を制御する音声制御との双方の制御が行われる。すなわち、視聴環境情報および視聴者情報の双方に基づいて、ユーザ（視聴者）にとってより好ましい表示制御および音声制御がそれぞれ実現される。
【発明の効果】
【０００８】
本開示の表示装置によれば、検知された視聴環境情報および視聴者情報の双方に基づいて、映像表示の際の輝度および色度をそれぞれ制御する表示制御と、音声出力部による音声出力を制御する音声制御との双方の制御を行うようにしたので、ユーザにとってより好ましい表示制御および音声制御をそれぞれ実現することができる。よって、ユーザの快適性を向上させることが可能となる。
【図面の簡単な説明】
【０００９】
【図１】本開示の一実施の形態に係る表示装置の概略構成を表すブロック図である。
【図２】図１に示した表示装置において検知される情報と検知する主体との対応関係の一例を表す図である。
【図３】図２に示した検知される情報とそれに基づく制御内容との対応関係の一例を表す図である。
【図４】環境照度、視聴位置および映像平均輝度と好ましい表示輝度との対応関係の一例を、若年者および高齢者の各々について表す特性図である。
【図５】肌色画像の場合における表示輝度および環境照度と好ましい明度および好ましい彩度との対応関係の一例を、若年者および高齢者の各々について表す特性図である。
【図６】草色画像の場合における表示輝度および環境照度と好ましい明度および好ましい彩度との対応関係の一例を、若年者および高齢者の各々について表す特性図である。
【図７】青空色画像の場合における表示輝度および環境照度と好ましい明度および好ましい彩度との対応関係の一例を、若年者および高齢者の各々について表す特性図である。
【発明を実施するための形態】
【００１０】
以下、本開示の実施の形態について、図面を参照して詳細に説明する。なお、説明は以下の順序で行う。
１．実施の形態（視聴環境情報，視聴者情報を検知して各種の制御を行う表示装置の例）
２．変形例
【００１１】
＜実施の形態＞
［表示装置１の構成］
図１は、本開示の一実施の形態に係る表示装置（表示装置１）の概略構成をブロック図で表したものである。この表示装置１は、カラー映像の表示と音声（ここではステレオ音声）の出力とが可能な表示装置（例えばＴＶ装置）であり、表示部１１（映像表示部）、左右のスピーカー１２Ｌ，１２Ｒ（音声出力部）、センサ部１３（情報検知部）および制御部１４を備えている。
【００１２】
表示部１１は、後述する制御部１４による映像制御に従って映像表示を行うものであり、例えばＣＲＴやＬＣＤ、ＰＤＰ、有機ＥＬディスプレイなどの各種の方式によるディスプレイを用いて構成されている。
【００１３】
スピーカー１２Ｌ，１２Ｒはそれぞれ、後述する制御部１４による音声制御に従って音声出力を行うものである。具体的には、スピーカー１２Ｒは右用の音声出力を行い、スピーカー１２Ｌは左用の音声出力を行う。すなわち、ここでは一例として、左右のステレオ音声が出力されるようになっている。
【００１４】
（センサ部１３）
センサ部１３は、表示装置１の視聴者（ユーザ）９の視聴環境を示す視聴環境情報Ｉ１と、この視聴者９自身の情報に対応する視聴者情報Ｉ２とをそれぞれ検知し、これらの視聴環境情報Ｉ１および視聴者情報Ｉ２を制御部１４へと出力するものである。このセンサ部１３は、ここでは一例として、画像センサ（カメラ）１３１、照度センサ１３２および音場センサ（マイク）１３３を有している。
【００１５】
画像センサ１３１は、視聴者（ここではユーザ９）の位置や距離、顔等を検出するセンサであり、これにより例えば図２に示したような各種の情報を検知することが可能となっている。具体的には、視聴環境情報Ｉ１として、視聴者位置（距離や角度を含む）を示す情報を検知する。また、視聴者情報Ｉ２として、視聴者の人数や年齢、疲労度等を示す情報を検知する。この際、視聴者の疲労度は、例えばその視聴者の瞬きの頻度（回数や時間など）によって規定されるようになっている。
【００１６】
照度センサ１３２は、視聴環境の明るさ（環境照度）を検出するセンサであり、これにより例えば図２に示したように、視聴環境情報Ｉ１として、環境照度を示す情報を検知することが可能となっている。
【００１７】
音場センサ１３３は、視聴環境における音場の検出（測定）を行うセンサであり、これにより例えば図２に示したように、視聴環境情報Ｉ１として、音場（環境音場）を示す情報を検知することが可能となっている。なお、このような音場センサ１３３を構成するマイクは、表示装置１自身に内蔵させる代わりに、例えば視聴者の傍に置いておくことが想定されるリモコン（表示装置１のリモートコントロール装置）等に付属させておくようにしてもよい。
【００１８】
（制御部１４）
制御部１４は、外部から供給される入力映像信号Ｖinおよび入力音声信号Ｓinに基づいて、表示部１１における映像表示の制御（映像制御）と、スピーカー１２Ｌ，１２Ｒにおける音声出力の制御（音声制御）とをそれぞれ行うものである。制御部１４は、詳細は後述するが、このような映像制御および音声制御の際に、センサ部１３から供給される視聴環境情報Ｉ１および視聴者情報Ｉ２を用いて制御を行うようになっている。この制御部１４は、ここでは図１に示したように、映像制御部１４１および音声制御部１４２を有している。
【００１９】
映像制御部１４１は、入力された視聴環境情報Ｉ１および視聴者情報Ｉ２を用いて、入力映像信号Ｖinに対して所定の映像信号処理を行うことにより、上記した映像制御を行うものである。具体的には、例えば図３に示したように、映像表示の際の輝度制御や色度制御（彩度制御等）、色温度制御などの映像制御を行う。なお、このような映像制御の詳細については後述する。
【００２０】
音声制御部１４２は、入力された視聴環境情報Ｉ１および視聴者情報Ｉ２を用いて、入力音声信号Ｓinに対して所定の音声信号処理を行うことにより、上記した音声制御を行うものである。具体的には、例えば図３に示したように、音声出力の際の音量制御や音質制御、音声バランス制御（例えば、スピーカー１２Ｌ，１２Ｒ間での左右の音声バランスの制御）などの音声制御を行う。なお、このような音声制御の詳細についても後述する。
【００２１】
このような制御部１４ではまた、例えば図２に示したように、入力映像信号Ｖinおよび入力音声信号Ｓinから所定の情報（映像の明るさ情報（映像平均輝度等）やコンテンツ情報など）を取得（検知）する機能も有している。そして、詳細は後述するが、制御部１４はこのようにして取得した情報を用いて、例えば図３に示したように、上記した映像制御や音声制御、視聴環境の明るさの制御（照明制御）等を行うことが可能となっている。
【００２２】
［表示装置１の作用・効果］
（基本動作）
この表示装置１では、図１に示したように、外部から供給される入力映像信号Ｖinおよび入力音声信号Ｓinに基づいて、制御部１４内の映像制御部１４１および音声制御部１４２が、映像制御および音声制御を行う。具体的には、映像制御部１４１は、入力映像信号Ｖinに基づいて表示部１１における映像表示の制御（映像制御）を行う。また、音声制御部１４２は、入力音声信号Ｓinに基づいて、スピーカー１２Ｌ，１２Ｒにおける音声出力の制御（音声制御）を行う。このようにして、表示装置１においてカラー映像の表示と音声（ステレオ音声）の出力とがなされる。
【００２３】
（検知情報を用いた映像制御および音声制御等）
この際、センサ部１３内の各センサ（画像センサ１３１，照度センサ１３２，音場センサ１３３）および制御部１４では、例えば図２および図３で示したような各種の情報（視聴環境情報Ｉ１および視聴者情報Ｉ２等）が検知（取得）される。
【００２４】
具体的には、画像センサ１３１では、例えば視聴環境情報Ｉ１として視聴者位置を示す情報を検知すると共に、視聴者情報Ｉ２として、視聴者の人数や年齢、疲労度等を示す情報を検知する。照度センサ１３２では、例えば視聴環境情報Ｉ１として、環境照度を示す情報を検知する。音場センサ１３３では、例えば視聴環境情報Ｉ１として、音場（環境音場）を示す情報を検知する。
【００２５】
一方、制御部１４では、入力映像信号Ｖinおよび入力音声信号Ｓinから、所定の情報（例えば、映像の明るさ情報（映像平均輝度等）やコンテンツ情報など）を取得する。なお、コンテンツ情報を取得する手法としては、例えば信号処理段階で取得する手法や、番組情報やメタデータから取得する手法などが挙げられる。
【００２６】
そして、制御部１４内の映像制御部１４１および音声制御部１４２はそれぞれ、センサ部１３から供給される視聴環境情報Ｉ１および視聴者情報Ｉ２と、制御部１４自身内で検知された上記の情報とを用いて、以下説明するようにして映像制御および音声制御等を行う。
【００２７】
具体的には、本実施の形態では、制御部１４は、これらの視聴環境情報Ｉ１および視聴者情報Ｉ２の双方に基づいて、映像表示の際の輝度および色度をそれぞれ制御する表示制御と、音声制御との双方の制御を行う。すなわち、映像表示の際の輝度制御や色度制御（彩度制御等）、色温度制御などの映像制御と、音声出力の際の音量制御や音質制御、音声バランス制御（左右の音声バランスの制御等）などの音声制御とをそれぞれ行う。
【００２８】
より具体的には、例えば図３に示したように、制御部１４は、視聴位置の情報（視聴環境情報Ｉ１）や、視聴者の年齢，疲労度，人数などの情報（視聴者情報Ｉ２）に基づいて、映像制御や音声制御を行う。例えば、視聴者の瞬きの頻度（回数や時間など）が増えてきたことが検知された場合には、制御部１４は、映像表示の際の輝度を低下させる（明るさを低くする）制御を行う。また、例えば検知された視聴位置が基準位置よりも前後にずれている場合は、上記した音声バランス制御を行う。
【００２９】
また、制御部１４は、環境照度の情報（視聴環境情報Ｉ１）に基づいて例えば映像制御を行い、音場の情報（視聴環境情報Ｉ１）に基づいて例えば音声制御を行う。
【００３０】
更に、制御部１４は、自身で取得した映像の明るさ情報（映像平均輝度等）やコンテンツ情報などに基づいて、映像制御や音声制御、視聴環境の明るさの制御（照明制御）等を行う。例えば、映像平均輝度に基づいて映像制御を行い、コンテンツ情報に基づいて、映像制御や音声制御、照明制御を行う。
【００３１】
ここで、このような映像制御および音声制御等の際に、例えば映像表示の際の輝度が低下するように制御を行った場合には、制御部１４は続いて以下の色度制御を行うようにするのが望ましい。すなわち、彩度（ΔＣ*）が相対的に低い色については、映像表示の際の彩度を高める色度制御を行う一方、彩度が相対的に高い色については、映像表示の際の彩度を低める色度制御を行う。これにより、視聴環境と映像の明るさとに応じて、視聴者にとって最適な色度制御が実現できるからである。
【００３２】
また、視聴者の人数が複数であることが検知された場合には、制御部１４は、視聴環境が最も悪い条件下にある視聴者についての視聴環境情報Ｉ１を選択的に用いて、その視聴者に適合した表示制御や音声制御、照明制御等を行うのが望ましい。これにより、視聴環境の異なる複数の視聴者に対して、出来る限り最適に近い表示条件での視聴を可能とするという効果が得られるからである。
【００３３】
更に、視聴者の位置が検知できなかった場合には、制御部１４は、表示部１１による映像表示が停止して、スピーカー１２Ｌ，１２Ｒによる音声出力のみが行われるように、表示制御および音声制御を行うのが望ましい。これにより、映像を観視する視聴者がいない条件において表示部１１の消費電力を削減することができると共に、視聴位置の検知範囲外において音声だけを聴取する視聴者の利便性を確保できるという効果が得られるからである。
【００３４】
加えて、例えば図４〜図７に示した実験例からも分かるように、制御部１４は、検知された視聴者の年齢に応じて、異なる表示制御および音声制御を行うようにするのが望ましい。これは、ユーザ（視聴者）にとって好ましい表示輝度や表示色度（彩度や明度等）は、例えば環境照度や視聴位置（画角など）、映像平均輝度といったパラメータと線形関係（比例関係）にあり、また高齢者と若年者とでそのときの係数（比例係数等）の値が異なっていることから、年齢別に設定の最適化を行うことが望ましいためである。
【００３５】
ここで図４（Ａ）〜（Ｆ）は、環境照度、視聴位置および映像平均輝度と、ユーザにとって好ましい表示輝度との対応関係の一例を、若年者（本実験例では、１９〜２２歳程度）および高齢者（本実験例では、６２〜７９歳程度）の各々について特性図で表わしたものである。また、図５〜図７はそれぞれ、表示輝度および環境照度と、ユーザにとって好ましい明度（ΔＬ*）および好ましい彩度（ΔＣ*）との対応関係の一例を、若年者および高齢者の各々について特性図で表わしたものである。具体的には、図５（Ａ）〜（Ｄ）は、肌色画像（例えばマクベスチャート（色票画像）における＃２の画像）の場合の特性を示している。また、図６（Ａ）〜（Ｄ）は、草色画像（例えばマクベスチャートにおける＃４の画像）の場合の特性を示している。図７（Ａ）〜（Ｄ）は、青空色画像（例えばマクベスチャートにおける＃３の画像）の場合の特性を示している。なお、これらの実験結果では、図４については、被験者２４名による主観評価実験により得られた幾何平均値および幾何標準偏差を示しており、図５〜図７については、被験者２０名による主観評価実験により得られた平均値および標準誤差を示している。
【００３６】
なお、環境照度をＥ、画角をＳＡ、映像平均輝度をＡＬ、好ましい表示輝度をＰＬとすると、これらの実験結果により、若年者および高齢者の各々の場合について、例えば以下の（１）式および（２）式（重回帰式）が成り立つことが分かった。
・若者の場合
ｌｏｇＰＬ＝２．４０＋０．２７×ｌｏｇＥ−０．２２×ｌｏｇＳＡ−０．３２×ｌｏｇＡＬ  ……（１）
・高齢者の場合
ｌｏｇＰＬ＝２．８７＋０．１３×ｌｏｇＥ−０．３４×ｌｏｇＳＡ−０．２１×ｌｏｇＡＬ  ……（２）
【００３７】
このようにして表示装置１では、視聴環境情報Ｉ１および視聴者情報Ｉ２がそれぞれ検知され、これらの視聴環境情報Ｉ１および視聴者情報Ｉ２の双方に基づいて、映像表示の際の輝度および色度をそれぞれ制御する表示制御と、音声出力部による音声出力を制御する音声制御との双方の制御が行われる。すなわち、視聴環境情報Ｉ１および視聴者情報Ｉ２の双方に基づいて、ユーザ（視聴者）にとってより好ましい表示制御および音声制御がそれぞれ実現される。
【００３８】
以上のように本実施の形態では、検知された視聴環境情報Ｉ１および視聴者情報Ｉ２の双方に基づいて、映像表示の際の輝度および色度をそれぞれ制御する表示制御と、音声出力部による音声出力を制御する音声制御との双方の制御を行うようにしたので、ユーザにとってより好ましい表示制御および音声制御をそれぞれ実現することができる。よって、ユーザの快適性を向上させることが可能となる。
【００３９】
具体的には、例えばＴＶ装置における画質調整は、「ダイナミック」，「スタンダード」，「シアター」などといったモードをユーザが選択するようになっているのが一般的である。その画質調整のモードは、技術者の経験によって絵づくりがなされており、実際の視聴環境に適合したモードが選択されているかどうかを判断するのが難しい。また、例えば視聴位置がずれる等により視聴環境が変化した場合であっても、一般的には画質や音質等の調整するのは困難である。これに対して上記した本実施の形態の手法を採用することにより、ユーザにとって好ましい表示制御や音声制御を実現することが可能となる。
【００４０】
＜変形例＞
以上、実施の形態を挙げて本開示の技術を説明したが、本技術はこれらの実施の形態に限定されず、種々の変形が可能である。
【００４１】
例えば、上記実施の形態では視聴環境情報Ｉ１および視聴者情報Ｉ２の例を具体的に挙げて説明したが、これらの情報の全てを用いる必要はなく、少なくとも１つの情報を用いるようにしてもよい。また、実施の形態で挙げた情報には限られず、例えば視聴環境情報Ｉ１として環境温度を示す情報を用いたり、視聴者情報Ｉ２として視聴者の性別を示す情報を用いるようにしてもよい。
【００４２】
また、制御部１４による制御（映像制御，音声制御，照明制御等）の際の具体的手法については、実施の形態で挙げた手法には限られず、他の手法を用いて制御してもよい。
【００４３】
更に、上記実施の形態では、センサ部１３（情報検知部）内に、画像センサ（カメラ）１３１、照度センサ１３２および音場センサ（マイク）１３３が設けられている場合について説明したが、この場合には限られない。すなわち、例えばこれらのセンサのうちの少なくとも１つが設けられているようにしてもよく、あるいは、これらのセンサに加えて（または代えて）、他のセンサが設けられているようにしてもよい。また、上記実施の形態では、音声出力部の一例として左右のスピーカー１２Ｌ，１２Ｒを挙げて説明したが、例えば、スピーカーが１つだけ設けられていたり、３つ以上設けられているようにしてもよい。
【００４４】
加えて、上記実施の形態で説明した一連の処理（制御）は、ハードウェア（回路）で行われるようにしてもよいし、ソフトウェア（プログラム）で行われるようにしてもよい。
【００４５】
なお、本技術は以下のような構成を取ることも可能である。
（１）
映像表示を行う表示部と、
音声出力部と、
視聴環境情報および視聴者情報をそれぞれ検知する情報検知部と、
前記情報検知部により検知された視聴環境情報および視聴者情報の双方に基づいて、前記映像表示の際の輝度および色度をそれぞれ制御する表示制御と、前記音声出力部による音声出力を制御する音声制御と、の双方の制御を行う制御部と
を備えた表示装置。
（２）
前記視聴環境情報として、視聴位置、環境照度および音場のうちの少なくとも１つについての情報を含み、
前記視聴者情報として、視聴者の人数、年齢および疲労度のうちの少なくとも１つについての情報を含む
上記（１）に記載の表示装置。
（３）
前記視聴者の疲労度は、その視聴者の瞬きの頻度によって規定される
上記（２）に記載の表示装置。
（４）
前記映像制御として、前記映像表示の際の輝度制御、色度制御および色温度制御を含み、
前記音声制御として、前記音声出力の際の音量制御、音質制御および音声バランス制御のうちの少なくとも１つを含む
上記（１）ないし（３）のいずれかに記載の表示装置。
（５）
前記制御部は、
前記映像表示の際の輝度が低下するように制御を行った場合、
彩度が相対的に低い色については、前記映像表示の際の彩度を高める色度制御を行うと共に、彩度が相対的に高い色については、前記映像表示の際の彩度を低める色度制御を行う
上記（４）に記載の表示装置。
（６）
前記視聴者情報として、視聴者の年齢についての情報を少なくとも含み、
前記制御部は、検知された視聴者の年齢に応じて、異なる前記表示制御および前記音声制御を行う
上記（４）または（５）に記載の表示装置。
（７）
前記情報検知部によって視聴者の人数が複数であることが検知された場合、
前記制御部は、視聴環境が最も悪い条件下にある視聴者についての前記視聴環境情報を選択的に用いて、その視聴者に適合した前記表示制御および前記音声制御を行う
上記（４）ないし（６）のいずれかに記載の表示装置。
（８）
前記情報検知部によって視聴者の位置が検知できなかった場合、
前記制御部は、前記映像表示が停止して前記音声出力のみが行われるように、前記表示制御および前記音声制御を行う
上記（４）ないし（７）のいずれかに記載の表示装置。
（９）
前記情報検知部は、画像センサ、照度センサおよび音場センサのうちの少なくとも１つを有する
上記（１）ないし（８）のいずれかに記載の表示装置。
（１０）
前記制御部は、入力映像信号および入力音声信号から所定の情報を取得すると共に、この取得した情報を用いて、視聴環境の明るさを制御する
上記（１）ないし（９）のいずれかに記載の表示装置。
【符号の説明】
【００４６】
１…表示装置、１１…表示部、１２Ｒ，１２Ｌ…スピーカー、１３…センサ部、１３１…画像センサ（カメラ）、１３２…照度センサ、１３３…音場センサ（マイク）、１４…制御部、１４１…映像制御部（表示制御部）、１４２…音声制御部、９…視聴者（ユーザ）、Ｖin…入力映像信号、Ｓin…入力音声信号、Ｉ１…視聴環境情報、Ｉ２…視聴者情報。
【図１】
2013097298.tif 000003
【図２】
2013097298.tif 000004
【図３】
2013097298.tif 000005
【図４】
2013097298.tif 000006
【図５】
2013097298.tif 000007
【図６】
2013097298.tif 000008
【図７】
2013097298.tif 000009